(57)【特許請求の範囲】
【請求項１】
ストローに取り付けられるストロー用キャップであって、
前記ストローの外径よりも広い内径を有し、両端の第１開口及び第２開口を有する筒状の筒部と、
前記第１開口を閉塞する第１閉塞部及び前記第２開口を閉塞する第２閉塞部と、
前記第１閉塞部を厚さ方向に貫通した貫通孔を有する第１挿通部と、
を備え、
前記筒部は、前記第１挿通部で前記ストローの側面に接触し、前記第１挿通部以外では前記側面に接触していない
ことを特徴とするストロー用キャップ。
【請求項２】
請求項１に記載するストロー用キャップにおいて、
前記第１閉塞部が前記筒部の前記第１開口よりも前記第２閉塞部側に配置されることで、前記筒部の前記第１閉塞部よりも前記第１開口側の一部分である第１裾部が形成されている
ことを特徴とするストロー用キャップ。
【請求項３】
請求項１又は請求項２に記載するストロー用キャップにおいて、
前記第１挿通部は、前記第１閉塞部を厚さ方向に貫通した貫通孔である複数のスリットが交差したものである
ことを特徴とするストロー用キャップ。
【請求項４】
請求項１から請求項３の何れか一項に記載するストロー用キャップにおいて、
前記第２閉塞部は、前記筒部の前記第２開口よりも前記第１閉塞部側に配置されることで、前記筒部の前記第２閉塞部よりも前記第２開口側の一部分である第２裾部が形成されている
ことを特徴とするストロー用キャップ。
【請求項５】
請求項１から請求項４の何れか一項に記載するストロー用キャップにおいて、
前記第２閉塞部を厚さ方向に貫通した貫通孔を有する第２挿通部を備える
ことを特徴とするストロー用キャップ。
【請求項６】
請求項１から請求項５の何れか一項に記載するストロー用キャップにおいて、
前記第１閉塞部は、前記筒部とは別体であり着脱可能である
ことを特徴とするストロー用キャップ。
【発明の詳細な説明】
【技術分野】
【０００１】
本発明は、ストローの吸引口を保護するストロー用キャップに関する。
【背景技術】
【０００２】
従来、飲食店では、ジュース等の飲料を注いだカップにストローをつけて購入者に提供することが行われている。購入者は、カップを手に取って飲料を飲んでいないときは、例えばテーブルにカップを置く。
【０００３】
昨今では、ウィルスを含む飛沫への対策をすることが感染症予防に重要となっている。このような観点からすると、テーブルに置いたカップに取り付けられたストローは、他人がいる店内で露出することになるので飛沫対策が十分とは言えない。
【０００４】
特許文献１に記載のストローは、ストローの吸引口を覆うようなキャップを設けている。しかしながら、ストローから飲料が漏れることを防止するための構造であるので、キャップがストローに密着している。このため、飲料を飲むためにキャップからストローの吸引口を露出させる、又はストローをキャップで保護するためにキャップで吸引口を覆うという操作が行いにくいという問題がある。
【０００５】
さらに、特許文献１に記載のストローを用いて飲料を飲む際には、キャップを移動させ、ストローの吸引口を露出させる。しかしながら、キャップはストローに取り付けられたままである。このため、ストローを口にくわえた際にキャップが口に当たってしまい、飲みにくいという問題がある。また、キャップに飛沫や埃が付着する場合もあり、ストローを口にくわえた際にキャップから飛沫や埃が口に入るおそれがある。
【先行技術文献】
【特許文献】
【０００６】
【特許文献１】特開２００６−１３６５１７号公報
【発明の概要】
【発明が解決しようとする課題】
【０００７】
本発明は、このような事情に鑑み、簡単な操作でストローを衛生的に保つことができるストロー用キャップを提供することを目的とする。
【課題を解決するための手段】
【０００８】
上記目的を達成するための本発明の態様は、ストローに取り付けられるストロー用キャップであって、前記ストローの外径よりも広い内径を有し、両端の第１開口及び第２開口を有する筒状の筒部と、前記第１開口を閉塞する第１閉塞部及び前記第２開口を閉塞する第２閉塞部と、前記第１閉塞部を厚さ方向に貫通した貫通孔を有する第１挿通部と、を備え、前記筒部は、前記第１挿通部で前記ストローの側面に接触し、前記第１挿通部以外では前記側面に接触していないことを特徴とするストロー用キャップにある。
【発明の効果】
【０００９】
本発明によれば、簡単な操作でストローを衛生的に保つことができるストロー用キャップが提供される。
【図面の簡単な説明】
【００１０】
【図１】実施形態１に係るストロー用キャップの斜視図である。
【図２】実施形態１に係るストローに取付けたストロー用キャップの斜視図である。
【図３】実施形態１の変形例に係るストロー用キャップの斜視図である。
【図４】実施形態１の変形例に係るストロー用キャップの斜視図である。
【図５】実施形態２に係るストロー用キャップの斜視図である。
【図６】実施形態２に係るストローに取付けたストロー用キャップの側面図である。
【図７】実施形態２に係るストローに取付けたストロー用キャップの側面図である。
【図８】実施形態２の変形例に係るストロー用キャップの斜視図である。
【図９】実施形態２の変形例に係るストロー用キャップの斜視図である。
【図１０】実施形態３に係るストロー用キャップの斜視図である。
【図１１】実施形態３に係るストローに取付けたストロー用キャップの斜視図である。
【図１２】実施形態３の変形例に係るストロー用キャップの斜視図である。
【図１３】実施形態３の変形例に係るストロー用キャップの斜視図である。
【図１４】実施形態３の変形例に係るストロー用キャップの斜視図である。
【図１５】実施形態４に係るストロー用キャップの斜視図である。
【図１６】実施形態４に係るストローに取り付けたストロー用キャップの分解斜視図である。
【発明を実施するための形態】
【００１１】
〈実施形態１〉
以下に本発明を実施形態に基づいて詳細に説明する。ただし、以下の説明は、本発明の一態様を示すものであって、本発明の範囲内で任意に変更可能である。各図において同じ符号を付したものは、同一の部材を示しており、適宜説明が省略されている。
【００１２】
図１及び図２を用いて本実施形態のストロー用キャップについて説明する。図１はストロー用キャップの斜視図である。図２はストローに取り付けたストロー用キャップの斜視図である。図示するように、ストロー用キャップ１は、筒部１０、第１閉塞部１１、第２閉塞部１２、第１挿通部２０ａを備えている。
【００１３】
筒部１０は、中空に形成されており、ストロー５０の外径よりも広い内径を有する。本実施形態では筒部１０は円筒状となっている。筒部１０の両端の開口は、第１閉塞部１１及び第２閉塞部１２により閉塞されている。第１閉塞部１１及び第２閉塞部１２は、筒部１０の両側の開口を塞ぐ部材であり、筒部１０と一体となっている。もちろん、第１閉塞部１１及び第２閉塞部１２は筒部１０と別体であってもよい。
【００１４】
第１閉塞部１１には、第１閉塞部１１を厚さ方向に貫通した貫通孔からなる第１挿通部２０ａが設けられている。本実施形態の第１挿通部２０ａは、第１閉塞部１１を厚さ方向に貫通した２本のスリット２１を交差させたものである。第１挿通部２０ａのうちスリット２１同士の間の領域である係止片２２が４つ形成されている。
【００１５】
ストロー用キャップ１は、樹脂材料や紙など可撓性がある、又は弾力性のある材料で形成されている。また、本実施形態のストロー用キャップ１は、筒部１０と第１閉塞部１１と、第２閉塞部１２とは一体的に形成されている。
【００１６】
スリット２１は、ストロー５０が挿通する開口となるが、ストロー５０が挿通される前においては、ストロー５０の内径よりも狭い開口となっている。一方、スリット２１を形成する係止片２２は、樹脂材料や紙など可撓性又は弾力性があるので、筒部１０の内外に向けて変形し、ストロー５０が挿通する程度にスリット２１が大きく開くようになっている。
【００１７】
したがって、ストロー用キャップ１の第１挿通部２０ａに、ストロー５０の吸引口５１を押し当てストロー用キャップ１を下方（吸引口５１とは反対側）へ移動させることで、吸引口５１を筒部１０の内部に収容することができる。このとき、係止片２２は、ストロー５０の側面部を摩擦力又は弾性力によって保持するので、ストロー用キャップ１から手を離しても、自重で簡単に位置ずれしないようになっている。
【００１８】
このようなストロー用キャップ１によれば、ストロー５０の吸引口５１が筒部１０、第１閉塞部１１及び第２閉塞部１２に囲まれた空間内に収容されるので、飛沫などから保護される。したがって、飲食店などでテーブル等にストローを付けたカップを置いたときなどであっても、ストロー５０の吸引口５１に飛沫が付着することを防止することができる。
【００１９】
また、ストロー用キャップ１は、ストロー５０の側面に係止片２２で接触しているだけであり、係止片２２以外はストロー５０に接触していない。このため、ストロー用キャップ１をストロー５０から簡単に取り外すことができる。
【００２０】
上述したように、飲料を飲む際には、ストロー用キャップ１はストロー１から外れている。このため、従来のストロー用キャップにおける問題点である、ストロー用キャップが口に当たって飲みにくいこと、ストロー用キャップ１に付着した飛沫や埃が口に入る恐れがあること、を回避することができる。
【００２１】
また、このようなストロー用キャップ１は、使い捨てにすることが好ましい。これにより、ストロー用キャップ１を使うときはいつも新品のものを使うことになるので、より衛生的である。もちろん、ストロー用キャップ１を洗浄、消毒などすることで、使い回してもよい。
【００２２】
さらに、ストロー用キャップ１にキャラクター、絵、文字、模様などの装飾を施してもよい。このような装飾を施すことで、利用者がストロー用キャップ１を購入する意欲を高めることができる。さらにはキャラクター等を用いた装飾によって広告宣伝効果を期待できる。
【００２３】
以上に説明したように、本発明によれば、簡単な操作でストロー５０を衛生的に保つことができる。
【００２４】
図３を用いて、本実施形態の変形例に係るストロー用キャップ１Ａについて説明する。筒部１０の開口のうち第１閉塞部１１側の開口を第１開口３１とする。図１及び図２に示した第１閉塞部１１は、第１開口３１の縁の部分に設けられていたが、図３の第１閉塞部１１は、第１開口３１の縁の部分よりも第２閉塞部１２側に設けられている。つまり、第１閉塞部１１は、筒部１０の内部に入り込んで第１開口３１を閉塞している。
【００２５】
筒部１０のうち第１閉塞部１１よりも第１開口３１側の一部分を第１裾部１３と称する。第１裾部１３は、第１閉塞部１１を底部とし、第１開口３１が開口した円筒状となっている。
【００２６】
このようなストロー用キャップ１Ａは、図１及び図２に示したストロー用キャップ１と同様の作用効果を奏する。さらに、第１閉塞部１１は、第１開口３１の縁の部分よりも第２閉塞部１２側に配置されている。このような構成とすることで、横方向から第１閉塞部１１に向かう飛沫を第１裾部１３が遮ることになるので、第１閉塞部１１に飛沫が届きにくい。
【００２７】
なお、第１閉塞部１１は、図３においては、第１開口３１に近い位置に設けられているが、このような位置に限定されない。第１閉塞部１１は、筒部１０の高さ方向においてどの位置に設けられていてもよい。
【００２８】
したがって、ストロー５０をスリット２１に挿通した状態において、飛沫がスリット２１を通り、筒部１０内に収容されたストロー５０に到達することをより確実に防止することができる。
【００２９】
図４を用いて、本実施形態の変形例に係るストロー用キャップ１Ｂについて説明する。筒部１０の開口のうち第２閉塞部１２側の開口を第２開口３２とする。図１から図３に示した第２閉塞部１２は、第２開口３２の縁の部分に設けられていたが、図４の第２閉塞部１２は、第２開口３２の縁の部分よりも第１閉塞部１１側に設けられている。つまり、第２閉塞部１２は、筒部１０の内部に入り込んで第２開口３２を閉塞している。
【００３０】
筒部１０のうち第２閉塞部１２よりも第２開口３２側の一部分を第２裾部１４と称する。第２裾部１４は、第２閉塞部１２を底部とし、第２開口３２が開口した円筒状となっている。
【００３１】
このようなストロー用キャップ１Ｂは、図３に示したストロー用キャップ１Ａと同様の作用効果を奏する。
【００３２】
〈実施形態２〉
図５から図７を用いて本実施形態のストロー用キャップについて説明する。図５はストロー用キャップの斜視図である。図６及び図７はストローに取り付けたストロー用キャップの側面図である。
【００３３】
図５に示すように、ストロー用キャップ１Ｃは、図１及び図２に示したストロー用キャップ１と同様の構成であるが、第２閉塞部１２にも第１挿通部２０ａが形成された点が異なる。以後、第１閉塞部１１側の挿通部を第１挿通部２０ａ、第２閉塞部１２側の挿通部を第２挿通部２０ｂとも称する。
【００３４】
図６に示すように、ストロー用キャップ１Ｃの第１挿通部２０ａに、ストロー５０の吸引口５１を押し当てストロー用キャップ１Ｃを下方（吸引口５１とは反対側）へ移動させることで、吸引口５１を筒部１０の内部に収容することができる。このとき、実施形態１と同様に、第１挿通部２０ａの係止片２２は、ストロー５０の側面部を摩擦力又は弾性力によって保持するので、ストロー用キャップ１Ｃから手を離しても、自重で簡単に位置ずれしないようになっている。このようなストロー用キャップ１Ｃは、実施形態１と同様に、簡単な操作でストロー５０を衛生的に保つことができる。
【００３５】
図７に示すように、ストロー用キャップ１Ｃをさらに下方に移動させることで、ストロー５０の吸引口５１は、第２挿通部２０ｂのスリット２１を押し開き、筒部１０の外へ露出するので、吸引口５１から飲料を飲める状態となる。
【００３６】
このようなストロー用キャップ１Ｃによれば、図６に示したようにストロー５０をストロー用キャップ１Ｃで保護した状態から、図７に示したようにストロー用キャップ１Ｃを下方に押し下げるだけで、吸引口５１から飲料を飲むことができる。また、ストロー用キャップ１Ｃは、飲料を飲むときでも飲んでいないときでも、ストロー５０に取り付けられた状態である。したがって、ストロー用キャップ１Ｃを取り外したときの置き場に困ることはなく、ストロー用キャップ１Ｃの紛失を防止することができる。
【００３７】
なお、飲料を飲む際には、ストロー用キャップ１はストロー１の根元側に向けて十分押し下げることで、従来のストロー用キャップにおける問題点である、ストロー用キャップが口に当たって飲みにくいこと、ストロー用キャップ１に付着した飛沫や埃が口に入る恐れがあること、を回避することができる。
【００３８】
図８を用いて、本実施形態の変形例に係るストロー用キャップ１Ｄについて説明する。ストロー用キャップ１Ｄは、図５のストロー用キャップ１Ｃと同様の構成であるが、第１閉塞部１１が図３のストロー用キャップ１Ａのように第１開口３１よりも第２閉塞部１２側に設けられている点で相違する。
【００３９】
このようなストロー用キャップ１Ｄは、ストロー用キャップ１Ｃと同様の作用効果を奏するとともに、ストロー用キャップ１Ａと同様の作用効果を奏する。
【００４０】
図９を用いて、本実施形態の変形例に係るストロー用キャップ１Ｅについて説明する。ストロー用キャップ１Ｅは、図８のストロー用キャップ１Ｄと同様の構成であるが、第２閉塞部１２が図４のストロー用キャップ１Ｂのように第２開口３２よりも第１閉塞部１１側に設けられている点で相違する。
【００４１】
このようなストロー用キャップ１Ｅは、ストロー用キャップ１Ｂと同様の作用効果を奏する。また、第２挿通部２０ｂの周囲に第２裾部１４が形成されている。すなわち、第２閉塞部１２は、第２開口３２の縁の部分よりも第１閉塞部１１側に配置されている。このような構成とすることで、横方向から第２閉塞部１２に向かう飛沫を第２裾部１４が遮ることになるので、第２閉塞部１２に飛沫が届きにくい。
【００４２】
したがって、ストロー５０を第１挿通部２０ａのスリット２１に挿通し、かつ第２挿通部２０ｂのスリット２１には挿通していない状態、つまり吸引口５１が筒部１０に収容された状態において、飛沫が第２挿通部２０ｂのスリット２１を通り、筒部１０内に収容されたストロー５０に到達することをより確実に防止することができる。
【００４３】
〈実施形態３〉
図１０及び図１１を用いて本実施形態のストロー用キャップについて説明する。図１０はストロー用キャップの斜視図である。図１１はストローに取り付けたストロー用キャップの斜視図である。
【００４４】
図１０に示すように、ストロー用キャップ１Ｆは、筒部１０、第１開口３１を備えている。筒部１０は、中空に形成されており、一方に開口した第１開口３１と、他方の開口が閉じた頂部１５を備える筒状の形状となっている。筒部１０は、第１開口３１でストロー５０の外径よりも大きく開口しており、その反対側の頂部１５に近づくほど開口幅が狭くなっている。頂部１５の近傍では、筒部１０の開口幅はストロー５０の外径よりも小さい。
【００４５】
図１１に示すように、ストロー用キャップ１Ｆの第１開口３１に、ストロー５０の吸引口５１を挿通させる。ストロー５０の吸引口５１は、頂部１５の近傍において筒部１０の内面に当接し、ストロー用キャップ１Ｆが吸引口５１に係止した状態となる。
【００４６】
なお、ストロー用キャップ１Ｆは、ストロー５０が挿通される前の未使用の状態では、第１開口３１が閉じていてもよい。そして、ストロー５０にストロー用キャップ１Ｆを取り付ける際には、第１開口３１を開いて用いる。
【００４７】
このように、ストロー用キャップ１Ｆの第１開口３１に、ストロー５０の吸引口５１を挿通させるだけで、吸引口５１を筒部１０の内部に収容することができる。このとき、筒部１０の頂部１５近傍が吸引口５１を摩擦力又は弾性力によって保持するので、ストロー用キャップ１Ｆから手を離しても、自重で簡単に位置ずれしないようになっている。このようなストロー用キャップ１Ｆは、簡単な操作でストロー５０を衛生的に保つことができる。
【００４８】
図１２を用いて、本実施形態の変形例に係るストロー用キャップ１Ｇについて説明する。ストロー用キャップ１Ｇは、図１０及び図１１のストロー用キャップ１Ｆと同様の構成であるが、筒部１０のうち第１開口３１近傍の部分を、その他の部分よりも相対的に剛性を高くした裾部１３Ｇとなっている点で相違する。
【００４９】
このようなストロー用キャップ１Ｇは、ストロー用キャップ１Ｆと同様の作用効果を奏する。また、第１開口３１の周囲に剛性が高い第１裾部１３が形成されている。このような構成とすることで、ストロー用キャップ１Ｇを壊れにくくすることができる。さらに、より確実に第１開口３１が開いた状態を維持できるので、ストロー用キャップ１Ｇをストロー５０に装着しやすい。
【００５０】
図１３を用いて、本実施形態の変形例に係るストロー用キャップ１Ｈについて説明する。ストロー用キャップ１Ｈは、図１０及び図１１のストロー用キャップ１Ｆと同様の構成であるが、第１開口３１に図１及び図２に示したストロー用キャップ１の第１閉塞部１１及び第１挿通部２０ａを設けた点で異なっている。
【００５１】
このようなストロー用キャップ１Ｈは、ストロー用キャップ１と同様の作用効果を奏する。なお、ストロー５０は、第１挿通部２０ａの係止片２２により係止されるので、ストロー５０の吸引口５１は、筒部１０の内面によって係止していなくてもよい。
【００５２】
図１４を用いて、本実施形態の変形例に係るストロー用キャップ１Ｉについて説明する。ストロー用キャップ１Ｉは、図１２のストロー用キャップ１Ｇと同様の構成であるが、第１開口３１の縁の部分よりも頂部１５側に図３に示したストロー用キャップ１Ａの第１閉塞部１１及び第１挿通部２０ａを設けた点で異なっている。
【００５３】
このようなストロー用キャップ１Ｉは、ストロー用キャップ１Ａと同様の作用効果を奏する。なお、ストロー５０は、第１挿通部２０ａの係止片２２により係止されるので、ストロー５０の吸引口５１は、筒部１０の内面によって係止していなくてもよい。
【００５４】
〈実施形態４〉
図１５及び図１６を用いて本実施形態のストロー用キャップについて説明する。図１５はストロー用キャップの斜視図である。図１６はストローに取り付けたストロー用キャップの分解斜視図である。
【００５５】
図示するように、本実施形態のストロー用キャップ１Ｊは、図１及び図２に示したストロー用キャップ１と同様の構成であるが、第１閉塞部１１Ｊが筒部１０とは着脱可能となっている点で相違する。具体的には、ストロー用キャップ１Ｊは、第１開口３１に着脱可能な蓋状に形成された第１閉塞部１１Ｊを備えている。
【００５６】
カップ５５に用いられているストロー５０に、ストロー用キャップ１Ｊを取り付ける方法は複数あるが次のように行うことができる。
【００５７】
まず、筒部１０に第１閉塞部１１Ｊが取り付けられた状態のストロー用キャップ１Ｊを図２と同様にストロー５０に取り付ける方法である。他に、図１６に示すように、第１閉塞部１１Ｊのみを先にストロー５０に取り付ける。すなわちスリット２１にストロー５０を挿通し、係止片２２でストロー５０の側面に係止させる。その後に、第１開口３１にストロー５０を挿通させるようにして筒部１０を移動し、第１開口３１を第１閉塞部１１Ｊで蓋をするように筒部１０に取り付ける。
【００５８】
飲料を飲む際には、第１閉塞部１１Ｊから筒部１０を取り外し、第１閉塞部１１Ｊはストロー５０に取り付けたままとする。これにより、吸引口５１が露出するので飲料を飲むことができる。このようなストロー用キャップ１Ｊは、ストロー用キャップ１と同様の作用効果を奏する。
【００５９】
〈他の実施形態〉
以上、本発明の一実施形態を説明したが、本発明の基本的構成は上述したものに限定されない。
【００６０】
例えば、実施形態１及び実施形態２では、筒部１０は円筒状であるが、このような形状に限定されない。例えば、断面が三角形、四角形などの多角形の筒状の部材であってもよい。また、筒部１０の内径は一定である必要はない。つまり、第１閉塞部１１側と第２閉塞部１２側とで筒部１０の内径が異なっていてもよい。
【００６１】
実施形態１及び実施形態２では、第１閉塞部１１及び第２閉塞部１２は円形状であるが、このような形状に限定されない。例えば、三角形、四角形など多角形であってもよい。また、実施形態１のようにストロー５０が挿通しない第２閉塞部１２については、実施形態３のように筒部１０の開口縁部を接合して開口を潰した形状であってもよい。
【００６２】
第１挿通部２０ａ及び第２挿通部２０ｂは、第１閉塞部１１、第２閉塞部１２に２本のスリット２１を形成することで構成したが、このような構成に限定されない。スリット２１は１本でもよいし３本以上の複数本であってもよい。
【００６３】
また、第１挿通部２０ａ及び第２挿通部２０ｂは、スリット２１から形成したものに限定されない。第１挿通部２０ａ及び第２挿通部２０ｂは、第１閉塞部１１、第２閉塞部１２に設けられた、ストロー５０の側面に接触する開口を有する貫通孔であればよい。例えば、円形、楕円形、多角形、星形、ハート型などの貫通孔を第１閉塞部１１、第２閉塞部１２に設けることで、第１挿通部２０ａ及び第２挿通部２０ｂを形成することができる。
【００６４】
また、第１挿通部２０ａは係止片２２がストロー５０の側面に接触して係止するような構成としたが、このような構成に限定されない。第１挿通部２０ａは、ストロー５０の外径よりも大きく、筒部１０の内径よりも小さい挿通孔であってもよい。つまり、当該挿通孔は、ストロー５０に接触していなくてもよい。この場合は、ストロー５０の吸引口５１が第２閉塞部１２を筒部１０の内側から支持することになるが、吸引口５１としては筒部１０に収容されるので飛沫から保護することができる。
【００６５】
実施形態４ではストロー５０が挿通する第１挿通部２０ａを有する蓋として第１閉塞部１１Ｊを、筒部１０と着脱可能な別体としたが、このような態様に限定されない。すなわち、実施形態１〜３のストロー用キャップについても筒部１０と第１閉塞部１１とを着脱可能な別体としてもよい。
【符号の説明】
【００６６】
１、１Ａ、１Ｂ、１Ｃ、１Ｄ、１Ｅ、１Ｆ、１Ｇ、１Ｈ、１Ｉ、１Ｊ…ストロー用キャップ、１０…筒部、１１、１１Ｊ…第１閉塞部、１２…第２閉塞部、２０ａ…第１挿通部、２０ｂ…第２挿通部、２１…スリット、３１…第１開口、３２…第２開口、５０…ストロー、５１…吸引口
【要約】
【課題】簡単な操作でストローを衛生的に保つことができるストロー用キャップを提供する。
【解決手段】ストロー５０の外径よりも広い内径を有する筒状の筒部１０と、筒部１０の両端の開口を閉塞する第１閉塞部１１及び第２閉塞部１２と、第１閉塞部１１を厚さ方向に貫通した貫通孔であるスリット２１を有する第１挿通部２０ａと、を備え、係止片２２でストロー５０を係止するように構成されたストロー用キャップ。
【選択図】  図２【図１】
0006901210.tif 000002
【図２】
0006901210.tif 000003
【図３】
0006901210.tif 000004
【図４】
0006901210.tif 000005
【図５】
0006901210.tif 000006
【図６】
0006901210.tif 000007
【図７】
0006901210.tif 000008
【図８】
0006901210.tif 000009
【図９】
0006901210.tif 000010
【図１０】
0006901210.tif 000011
【図１１】
0006901210.tif 000012
【図１２】
0006901210.tif 000013
【図１３】
0006901210.tif 000014
【図１４】
0006901210.tif 000015
【図１５】
0006901210.tif 000016
【図１６】
0006901210.tif 000017